(57)【要約】  真っ直ぐに座ることができる２歳未満の子供に適した航空機の客室用の揺りかご（１０）であって、矩形フレーム（１２）と２つの直立体（１４、１６）とによって形成されて客室の１つの壁に固定されるようになっている硬質で折り畳み可能な構造体と、矩形フレームに取り付けられるマットレスを伴うカバー（１８）とを備える揺りかご（１０）。カバーは、その長手方向側面のうちの一方に、織物のストリップによって分離され且つ引っ込み可能なチュールフラップによって閉じられる２つの窓を備え、それにより、子供は、フラップが引っ込められたときに、上記織物ストリップの両側で、自分の脚を窓を通じて揺りかごから抜け出させた状態で揺りかごの中で真っ直ぐに座ることができる。【選択図】  図６
2010524759.tif 000002
【特許請求の範囲】
【請求項１】
真っ直ぐに座ることができる２歳未満の子供に適した航空機の客室用の揺りかご（１０）であって、矩形フレーム（１２）と２つの直立体（１４、１６）とによって形成されて前記客室の１つの壁に固定されるようになっている硬質で折り畳み可能な構造体と、前記矩形フレームに取り付けられるマットレスを伴うカバー（１８）とを備える揺りかご（１０）において、
前記カバーが、その長手方向側面のうちの一方に、織物のストリップ（３２）によって分離され且つ引っ込み可能な織物フラップによって閉じられる２つの窓（２８、３０）を備え、それにより、子供が、前記フラップが引っ込められたときに、前記織物ストリップの両側で、自分の脚を前記窓を通じて揺りかごから抜け出させた状態で揺りかごの中で真っ直ぐに座ることができることを特徴とする揺りかご（１０）。
【請求項２】
前記矩形フレーム（１２）には前記窓（２８、３０）の上部で直径が３〜５ｃｍの弾性円柱（４２）が取り付けられ、子供が真っ直ぐに座っているときに子供の胸の高さにある前記円柱が、子供の身体を僅かに押し戻すことにより、子供が揺りかごから倒れ出るのを防止する請求項１に記載の揺りかご（１０）。
【請求項３】
前記引っ込み可能なフラップが、矩形状を有するとともに、ゴム材料から構成されるパイプ（３６）を基部に備え、また、垂直な辺のそれぞれに、両面自動留めストリップ（３８および４０）、すなわち、一方では前面に“フック側”を有し且つ一方では背面に“ループ側”を有する或いはその逆のストリップを備え、それにより、前記窓の上部に至るまで前記フラップを前記パイプの周囲に巻き付けることができる一方で、前記ストリップの内面および外面を互いに留め付けて、子供が揺りかごから倒れ出るのを防止する前記円柱（４２）を得ることができる請求項２に記載の揺りかご（１０）。
【請求項４】
前記矩形フレーム（１２）に取り付けられる２つのストラップ（４４および４６）が、子供が真っ直ぐに座っているときに子供の背中で互いに留まり合い、子供を前方へ向けて前記弾性円柱に押し付けて支持するようになっている請求項３に記載の揺りかご（１０）。
【請求項５】
前記ストラップ（４４および４６）が、少なくともそれぞれの端部が自動留めストリップであって、その一方の端部の外側が“フック”タイプであり、他方の端部の内側が“ループ”タイプであり、あるいは、その逆であり、子供が真っ直ぐに座っているときに子供の背中で互いに留まり合う請求項４に記載の揺りかご（１０）。
【請求項６】
前記窓（２８、３０）が台形の形状を成し、前記台形の最も短い底辺が下端にあり、それにより、子供の脚が、依然として動ける状態で横方向に支持される請求項１〜５のいずれか一項に記載の揺りかご（１０）。
【請求項７】
前記フラップがチュールから形成され、それにより、子供の母親が、彼女の視線内に配置される揺りかごに横たわっている彼女の子供を見ることができる請求項１〜６のいずれか一項に記載の揺りかご（１０）。
【発明の詳細な説明】
【技術分野】
【０００１】
本発明は、航空機で移動する子供に適するシートおよび簡易ベッドに関し、特に、航空機シートに適合できる揺りかごに関する。
【背景技術】
【０００２】
現在、航空機で移動する子供には２つのカテゴリーが存在する。母親によって付き添われる６ヶ月未満の赤ん坊などの幼児は、長距離フライト中、航空機の前方にある手荷物用ロッカーまたは垂直壁あるいは客室を分離する壁のそれぞれに取り付けられる揺りかごの利益を享受する。一方、一般的に付き添われる２歳を越える子供は、他の全ての乗客と同様にシートに座るように勧められる。
【０００３】
子供の年齢が６ヶ月〜２歳の場合、すなわち、子供が真っ直ぐに座ることができる年齢である場合、航空機内には、非常に幼い幼児用の揺りかご以外の設備がない。これらは長距離フライトであるため、この年齢の子供が利用可能な揺りかごの中で仰向けのままになることを要求することができない。この場合、母親または子供に付き添う人は、自分の膝の上に子供を座らせることを除いて他の選択がない。これは、子供および膝の上に子供を座らせている人の両者において疲労および不快を伴う。
【発明の概要】
【発明が解決しようとする課題】
【０００４】
このため、本発明は、子供が真っ直ぐに座ることができるようになっている航空機の客室用の揺りかごを供給することを目的とする。
【課題を解決するための手段】
【０００５】
したがって、本発明は、真っ直ぐに座ることができる２歳未満の子供に適した航空機の客室用の揺りかごであって、矩形フレームと２つの直立体とによって形成されて客室の１つの壁に固定されるようになっている硬質で折り畳み可能な構造体と、矩形フレームに取り付けられるマットレスを伴うカバーとを備える揺りかごである。カバーは、その長手方向側面のうちの一方に、織物のストリップによって分離され且つ引っ込み可能なチュールフラップによって閉じられる２つの窓を備え、それにより、子供は、フラップが引っ込められたときに、上記織物ストリップの両側で、自分の脚を窓を通じて揺りかごから抜け出させた状態で揺りかごの中で真っ直ぐに座ることができる。
【０００６】
本発明の目的、対象、および、特徴は、図面に関連する以下の説明を考慮すると更に明確になると思われる。
【図面の簡単な説明】
【０００７】
【図１】航空機壁のうちの１つに取り付けられる本発明の揺りかごの正面図を示している。
【図２】図１に示される揺りかごの斜視図を示している。
【図３】シートの列の前方の壁に取り付けられる揺りかごを示す、キャビンの内側から見た図を示している。
【図４】織物のストリップによって分離された２つの窓および窓の前方のチュールフラップを示す揺りかごの内側から見た図を示している。
【図５】図４において、子供が自分の脚を窓に通すことができるようにチュールフラップが引っ込められた状態を示している。
【図６】子供が真っ直ぐに座っている状態を前から見た揺りかごの斜視図を示している。
【図７】揺りかごの中で真っ直ぐに座っている子供の背中を描いており、子供の前方のエラストマー円柱および背中で取り付けられた拘束ストラップを示している。
【発明を実施するための形態】
【０００８】
図１および図２を参照すると、７０〜８０ｃｍの長さ、３５ｃｍ〜４０ｃｍの幅がある本発明に係る揺りかご１０は、矩形フレーム１２と２つの直立体１４、１６とから構成される構造体と、矩形フレーム１２の４つの部分を包むように構造体に取り付けられる織物カバー１８とを備える。２つの直立体１４、１６は、内側に僅かに傾けられており、したがって、揺りかごが使用されないときには容易に折り畳まれる。
【０００９】
装着される際、揺りかご１０は、２つの装着ブラケット２０、２２を使用して垂直壁に対して取り付けられる。図３に示されるように、揺りかごが取り付けられる壁２４は、客室の前方に位置される壁であることが好ましく、母親または子供に付き添う人が最前列のシート２６に座る。なお、揺りかごが取り付けられる壁２４は、例えばビジネスクラスの客室とエコノミークラスの客室とを分離する壁のように２つの客室を分離する全く異なる垂直壁であってもよい。
【００１０】
図１および図２に示されるように、カバーの前部長手方向側面は、織物のストリップ３２によって分離される２つの窓２８、３０から構成される。以下で分かるように、２つの窓は、真っ直ぐに座るときに子供の各脚が通り抜けることができるようにするために使用される。なお、２つの窓２８、３０はカバーの底部に至るまでずっと延びていない。これは、約３ｃｍ厚のマットレスがカバーの底部に裏打ちされているからである。
【００１１】
２つの窓２８、３０は台形の形状を成すことが好ましい。この場合、台形の最も短い底辺が下端にある。したがって、子供の脚は、依然として動ける状態で横方向に支持される。
【００１２】
幼児が揺りかご内に横たわっているときには、織物フラップまたはカーテンが窓の前方に配置される。揺りかごの内側から窓が見られる図４に示されるように、織物フラップ３４はフレーム１２に取り付けられる。フラップは矩形形状を有することが好ましく、また、織物は透明な好ましくはチュールであり、それにより、子供の母親は、彼女の視線に配置される揺りかごに寝ている彼女の子供を見ることができる。
【００１３】
フラップ３４は、直径が約２ｃｍの好ましくはエラストマー材料から構成されるパイプ３６を下縁の全長にわたって備える。フラップは、垂直な辺のそれぞれに、自動留めストリップ３８、４０、または、両面ベルクロ（商標）ストリップ、すなわち、前面に“フック側”を有し且つ背面に“ループ側”を有する或いはその逆のストリップを備える。赤ん坊が座位に位置されるのを望む場合には、図５に示されるようにフラップが引っ込められる。これを行なうために、ユーザは、パイプ３６を掴んで、パイプを上方へ移動させつつパイプの周囲にフラップを巻き付ける。フラップが巻き上げられて窓の開口が開放されると、背面のフックが前面のループ側に引っ掛かるため、両面自動留めストリップ３８、４０が互いに留まり合う。フラップが完全に巻き上げられると、フラップは直径が３〜５ｃｍの円柱４２を形成する。このとき、芯部がエラストマー材料パイプ３６から構成される円柱は、子供が真っ直ぐに座っているときには子供の胸の高さに位置する。したがって、子供の身体が僅かに押し戻され、それにより、子供が揺りかごから倒れ出ることが防止される。なお、子供が前方へ倒れるのを防止する円柱４２は、エラストマー円柱であってもよく、例えばフラップとは別個のゴムから形成されてもよく、また、フレーム１２に取り外し不能に取り付けることができる。
【００１４】
フレーム１２には２つのストラップ４４、４６が取り付けられる。これらの拘束ストラップは、子供が真っ直ぐに座っているときに子供の背中の後側で互いに取り付いて、子供を前方へ傾けて弾性円柱４２に当て付けた状態に維持するように形成されている。ストラップ４４、４６は、少なくともそれぞれの端部がベルクロタイプの自動留めストリップであることが好ましい。その場合、一方の端部は外側が“フック”であり、他方の端部は内側が“ループ”であり、あるいは、逆もまたは同様である。
【００１５】
図６に示されるように子供が揺りかごの中で真っ直ぐに座っているとき、子供は、前後の両方で支持されて、揺りかごから落ちる危険を伴うことなく快適に座らされる。図７は、子供が座っているのを背後から見た状態を示している。上記図に示されるように、子供は、その内側がエラストマー材料から構成される円柱４２によって前側が支持され、子供の背後で互いに取り付けられるストラップ４４、４６によって後側が支持される。
【００１６】
以上、好ましい実施形態にしたがって本発明が説明されたが、本発明の範囲を逸脱することなく他の実施形態が実施されてもよい。
【図１】
2010524759.tif 000003
【図２】
2010524759.tif 000004
【図３】
2010524759.tif 000005
【図４】
2010524759.tif 000006
【図５】
2010524759.tif 000007
【図６】
2010524759.tif 000008
【図７】
2010524759.tif 000009
【国際調査報告】
2010524759.tif 000010
2010524759.tif 000011
2010524759.tif 000012
2010524759.tif 000013